(57)【要約】【課題】寸法安定性が高く、しかも人力で運搬可能な木質建築材を提供する。【解決手段】この木質建築材１０は、ひき板１１の繊維の向きが交互に直交するように積層されたＣＬＴパネルから切り出されてなり、積層された複数のひき板１１のうち、厚さ方向中心側に位置する一枚のひき板１１の一部を端面から穴状に除去することでダボ穴１２を形成し、しかも規格化した数種類の大きさであって、ＣＬＴパネルから必要なものを切り出して残った端材である。【選択図】図１
2017024357.tif 000002
【特許請求の範囲】
【請求項１】
ひき板の繊維の向きが交互に直交するように積層されたＣＬＴパネルから切り出してブロック状としたことを特徴とする木質建築材。
【請求項２】
積層された複数の前記ひき板のうち、厚さ方向中心側に位置する一枚の前記ひき板の一部を端面から穴状に除去することでダボ穴を形成したことを特徴とする請求項１に記載の木質建築材。
【請求項３】
前記木質建築材は規格化した数種類の大きさに形成されたことを特徴とする請求項１又は２に記載の木質建築材。
【請求項４】
前記木質建築材は前記ＣＬＴパネルから必要なものを切り出して残った端材であることを特徴とする請求項１乃至３のうちいずれか一つに記載の木質建築材。
【発明の詳細な説明】
【技術分野】
【０００１】
本発明は、住宅等の建築に使用される木質建築材に関するものである。
【背景技術】
【０００２】
木質建築材には、無垢材や集成材等といった様々なものがあり、近年開発された集成材の一つにＣＬＴ（Ｃｒｏｓｓ  Ｌａｍｉｎａｔｅｄ  Ｔｉｍｂｅｒ）がある（例えば、非特許文献１参照）。
【０００３】
ＣＬＴは、ひき板の繊維の向きが交互に直交するように積層され接着されてなる、例えば２４００ｍｍ×６０００ｍｍといった大型のパネルであり、建物の構造材として使用される。
【０００４】
このようなＣＬＴは、ひき板の繊維の向きが交互に直交するので、各ひき板の膨張及び収縮を抑制可能で寸法の安定性が高い。
また、ＣＬＴでは壁面で建物を支えるので耐震性が高い。
また、ＣＬＴは厚みがあるので、断熱性・遮音性・耐火性が高いといった利点もある。
【先行技術文献】
【非特許文献】
【０００５】
【非特許文献１】一般社団法人日本ＣＬＴ協会、“ＣＬＴとは｜一般社団法人日本ＣＬＴ協会｜ＣＬＴ（Ｃｒｏｓｓ  Ｌａｍｉｎａｔｅｄ  Ｔｉｍｂｅｒ）”［ｏｎｌｉｎｅ］、［平成２７年７月１７日検索］、インターネット〈ＵＲＬ：ｈｔｔｐ：／／ｃｌｔａ．ｊｐ／ｃｌｔ／〉
【発明の概要】
【発明が解決しようとする課題】
【０００６】
しかしながら、ＣＬＴは厚板であることの裏返しとして非常に重量があり、リフトやクレーン等の重機を使用しないと運搬が不可能であるという問題がある。
【０００７】
そこで、本発明の目的とするところは、寸法安定性が高くしかも人力で運搬可能な木質建築材を提供することにある。
【課題を解決するための手段】
【０００８】
上記の目的を達成するために、本発明の請求項１に記載の木質建築材（１０）は、ひき板（１１）の繊維の向きが交互に直交するように積層されたＣＬＴパネルから切り出されてなることを特徴とする。
【０００９】
また、請求項２に記載の木質建築材（１０）は、積層された複数の前記ひき板（１１）のうち、厚さ方向中心側に位置する一枚の前記ひき板（１１）の一部を端面から穴状に除去することでダボ穴（１２）を形成したことを特徴とする。
【００１０】
また、請求項３に記載の木質建築材（１０）は、前記木質建築材（１０）は規格化した数種類の大きさに形成されたことを特徴とする。
【００１１】
また、請求項４に記載の木質建築材（１０）は、前記木質建築材（１０）は前記ＣＬＴパネルから必要なものを切り出して残った端材であることを特徴とする。
【００１２】
ここで、上記括弧内の記号は、図面および後述する発明を実施するための形態に掲載された対応要素または対応事項を示す。
【発明の効果】
【００１３】
本発明の請求項１に記載の木質建築材によれば、ひき板の繊維の向きが交互に直交するように積層されたＣＬＴパネルから切り出してなるので、膨張及び収縮を隣接するひき板同士で抑制可能で、寸法安定性がよい。
また、その寸法安定性から、無垢材にありがちな割れも無い。
さらに、ひき板の繊維を直交させているので、配置する方向を変えても、またはかぎ取りしても、強度を確保できる。
【００１４】
そして、ブロック状としたので、人力で持ち運び可能である。よって、施工にリフトやクレーン等の重機を必要としないので、その分建築コストが低廉となる。また、新築以外の改修工事や内装工事のように重機を使用することができない後付け施工であってもそのブロック状の木質建築材を使用することができる。
さらに、施工現場までの運搬が大きなトラックだけでなく、小型車でも可能となる。
また、厚板材であるので、遮音性や断熱性を得ることができる。
【００１５】
また、請求項２に記載の木質建築材によれば、請求項１に記載の発明の作用効果に加え、積層された複数のひき板のうち、厚さ方向中心側に位置する一枚のひき板の一部を端面から穴状に除去することでダボ穴を形成したので、ダボ穴の加工や位置決めが容易である。
【００１６】
また、請求項３に記載の木質建築材によれば、請求項１又は２に記載の発明の作用効果に加え、木質建築材は規格化した数種類の大きさに形成されたので、より使用し易い。
【００１７】
また、請求項４に記載の木質建築材によれば、請求項１乃至３に記載の発明の作用効果に加え、木質建築材はＣＬＴパネルから必要なものを切り出して残った端材であるので、環境に優しく、かつコストが低廉である。
また、請求項３に記載の発明のように規格化された大きさのものであれば、端材であっても中途半端な大きさで使用に困るということが無い。
【００１８】
なお、本発明の木質建築材のように、ＣＬＴパネルから切り出してブロック状とする点は、上述した非特許文献１には全く記載されていない。
【図面の簡単な説明】
【００１９】
【図１】本発明の実施形態に係る木質建築材を示す斜視図である。
【図２】本発明の実施形態に係る木質建築材を示す斜視図である。
【図３】本発明の実施形態に係る木質建築材を示す斜視図である。
【図４】本発明の実施形態に係る木質建築材を示す斜視図である。
【図５】図１乃至図４に示す木質建築材を使用して施工したバス停を示す斜視図である。
【発明を実施するための形態】
【００２０】
図１乃至図５を参照して、本発明の実施形態に係る木質建築材１０（ＣＬＴブロック１０）を説明する。
この木質建築材１０は、ひき板１１を五枚積層して接着してなるＣＬＴパネルから、窓や出入口等の必要な箇所を切り出した端材からなる。
つまり、２４００ｍｍ×６０００ｍｍのＣＬＴパネルから窓に該当する箇所を切り抜いたとき、その窓の部分が端材として排出されるが、それを廃棄せず図１に示すように高さ３００ｍｍ、幅６００ｍｍ、厚さ１２５ｍｍの大きさで切り整える。
ここで、ＣＬＴブロック１０の厚さについてはＣＬＴパネルのままであり、ＣＬＴパネルよりも薄くする等の加工は施していない。
【００２１】
また、積層された複数のひき板１１のうち、厚さ方向中心側に位置する一枚のひき板１１の一部を端面から穴状に除去することでダボ穴１２を形成した。本実施形態においては、真ん中の三枚目のひき板１１について二箇所、縦方向に貫通させて、ダボ穴１２を二つ形成した。
【００２２】
構造のみに焦点を当てると、この木質建築材１０はＣＬＴパネルと同様に、五枚のひき板１１の繊維の向きが交互に直交するように積層・接着されたものであり、その大きさがパネル状ではなくブロック状のものである。そして、人力で運搬可能な程度の大きさ及び重量である。
【００２３】
この大きさの木質建築材１０の他に、規格化した数種類の大きさの木質建築材１０も用意した。
本実施形態では高さと厚さは上記木質建築材１０と共通にして、幅にバリエーションを持たせ規格化している。その幅には３００ｍｍ（図２参照）、９００ｍｍ（図３参照）、１２００ｍｍ（図４参照）のものを用意した。
そして、ダボ穴１２の数を木質建築材１０のそれぞれの幅に応じて増減した。ここでは、幅３００ｍｍタイプではダボ穴１２一個、幅９００ｍｍタイプではダボ穴１２三個、幅１２００ｍｍタイプではダボ穴１２五個とし、それぞれのダボ穴１２間隔が均等になるように配置している。
【００２４】
上記のような木質建築材１０を使用して、例えば図５に示すようなバス停２０を施工できる。
このとき、幅方向は木質建築材１０を半身又は相分、その下方の木質建築材１０とずらして配置するとともに、木質建築材１０の各ダボ穴１２の位置を合わせてダボ穴１２に通しボルトを通して上下を連結した。
バス停２０は屋外に設置したままの構造物であるので、木材用の保護塗料を塗って耐久性を得た。
【００２５】
本実施形態に係る木質建築材１０のこの他の使用例としては、間仕切り壁、壁面、既存壁の装飾、耐震改修補修の目隠し（木質化）が考えられる。また、組立式家具、電話ボックス、屋外トイレ、遊具、倉庫、キャビン、サウナボックス等の小規模構造物を構成することもできる。
また、鋼材等のダボ・ボルト等で補強するとシェルター等の強度が必要な構造物にも使用できる。
さらには、治水ダムの化粧残存型枠としても使用可能である。
なお、木質建築材１０の使用用途は上記の用途に限られるものではない。
【００２６】
以上のように構成された木質建築材１０によれば、ひき板１１の繊維の向きが交互に直交するように積層されたＣＬＴパネルから切り出してなるので、膨張及び収縮を隣接するひき板１１同士で抑制可能で、寸法安定性がよい。
また、その寸法安定性から、無垢材にありがちな割れも無い。
さらに、ひき板１１の繊維を直交させているので、配置する方向を変えても、またはかぎ取りしても、強度を確保できる。
【００２７】
そして、ブロック状としたので、人力で持ち運び可能である。よって、施工にリフトやクレーン等の重機を必要としないので、その分建築コストが低廉となる。また、新築以外の改修工事や内装工事のように重機を使用することができない後付け施工であってもそのブロック状の木質建築材１０を使用することができる。
さらに、施工現場までの運搬が大きなトラックだけでなく、小型車でも可能となる。
また、厚板材であるので、遮音性や断熱性を得ることができる。
【００２８】
また、積層された複数のひき板１１のうち、厚さ方向中心側に位置する一枚のひき板１１の一部を端面から穴状に除去することでダボ穴１２を形成したので、ダボ穴１２の加工や位置決めが容易である。
また、規格化された大きさのものであれば、端材であっても中途半端な大きさで使用に困るということが無い。
【００２９】
なお、本実施形態において、ひき板１１が五枚積層されたＣＬＴブロック１０を示したが、これに限られるものではなく、ひき板１１が三枚積層されたものであってもよいし、その他の枚数積層されたものであってもよい。但し、ダボ穴１２を形成する場合には奇数枚のほうが厚さ方向中央にダボ穴１２を形成し易い。
【００３０】
また、ダボ穴１２は木質建築材１０の上下を貫通したとしたが、これに限られるものではなく、貫通しなくてもよい。
【００３１】
また、ひき板１１一枚の一部を除去してダボ穴１２を形成したとしたが、これに限られるものではなく、それぞれのひき板１１を考慮せずに（複数のひき板１１をまたぐように）ドリル等でダボ穴１２を形成してもよい。
【００３２】
また、木質建築材１０を規格化した数種類の大きさに形成したが、これに限られるものではなく、一種類の大きさであってもよい。
また、木質建築材１０の大きさ（高さ・幅・厚さ）は適宜変更することができる。
ダボ穴１２間隔も限定されるものではない。
また、木質建築材１０の表面を削る又は厚みを足す、といったことも当然に行ってよい。
【００３３】
さらに、この木質建築材１０はＣＬＴパネルの端材であるとしたが、これに限られるものではなく、わざわざＣＬＴブロック１０を作るためにＣＬＴパネルを形成して、ここからできるだけ多くのＣＬＴブロック１０を切り出すようにしてもよい。
【符号の説明】
【００３４】
１０      木質建築材（ＣＬＴブロック）
１１      ひき板
１２      ダボ穴
２０      バス停
【図１】
2017024357.tif 000003
【図２】
2017024357.tif 000004
【図３】
2017024357.tif 000005
【図４】
2017024357.tif 000006
【図５】
2017024357.tif 000007